(57)【要約】【課題】現に使用中の既設の合併浄化槽設備であっても、周囲に悪臭が漂うことの少ない又は皆無な状態に改修することを容易にする。【解決手段】合併浄化槽設備における接触曝気槽９の外にマイナスイオン発生器２６が設置され、前記接触曝気槽９内に空気を送り込む送気管８には、接触曝気槽９の外に配線挿通部２２が設けられ、前記マイナスイオン発生器２６に放電極２８を接続する放電極用配線２７は、前記配線挿通部２２から前記送気管８内を経由して接触曝気槽９内に導出され、その放電極用配線２７の先端に取り付けられた放電極２８が接触曝気槽９内の汚水中に配置された構成。【選択図】図１
2013173111.tif 000002
【特許請求の範囲】
【請求項１】
合併浄化槽設備における接触曝気槽の外にマイナスイオン発生器が設置され、前記接触曝気槽内に空気を送り込む送気管には、接触曝気槽の外に配線挿通部が設けられ、前記マイナスイオン発生器に放電極を接続する配線は、前記配線挿通部から前記送気管内を経由して接触曝気槽内に導出され、その放電極用配線の先端に取り付けられた放電極が接触曝気槽内の汚水中に配置されている、合併浄化槽設備。
【請求項２】
前記送気管の接触曝気槽内で且つ汚水表面より上側の位置に第二の配線挿通部が設けられ、前記放電極用配線は、前記配線挿通部から前記送気管内を経由して前記第二の配線挿通部より接触曝気槽内に導出されている、請求項１に記載の汚水処理設備の脱臭装置。
【請求項３】
合併浄化槽設備における接触曝気槽内の汚水表面より上方にマイナスイオン発生器が設置され、前記接触曝気槽内に空気を送り込む送気管には、接触曝気槽の外に配線挿通部が設けられると共に接触曝気槽内で汚水表面より上方に第二の配線挿通部が設けられ、前記マイナスイオン発生器の電源線は、前記第二の配線挿通部から送気管内を経由して前記配線挿通部より外に引き出されている、合併浄化槽設備。
【請求項４】
前記放電極用配線には、先端の放電極の近くの位置に重錘が取り付けられている、請求項１〜３の何れか１項に記載の合併浄化槽設備。
【請求項５】
前記接触曝気槽内の汚水中にアース部材が配置され、このアース部材に接続されるアース線は、前記配線挿通部から前記送気管を経由して接触曝気槽内に導出され、このアース線の先端に前記アース部材が取り付けられている、請求項１〜４の何れか１項に記載の合併浄化槽設備。
【発明の詳細な説明】
【技術分野】
【０００１】
本発明は、消臭手段を付加した合併浄化槽設備に関するものである。
【背景技術】
【０００２】
合併浄化槽設備では、その処理槽内から発生する悪臭が当該設備の周囲に漂うという環境面での問題点がある。この問題点を解決するための手段として従来知られているものは、処理槽内の汚水中にオゾン発生管を配設する構成である。即ち、特許文献１に記載のように、地表に設置するタイプの便器一体型の簡易型浄化槽（糞尿処理槽）の最終処理槽内の汚水中にオゾン発生管を配設する構成である。具体的には、前記最終処理槽内の汚水中に横側方から差し込むようにオゾン発生管を槽壁に取り付けたものである。この他、オゾンガス生成機を利用して発生させたオゾンガスを処理槽内の汚水中に噴出させる構成も、厨房から排出される汚水の処理のためのグリストラップに適用する殺菌・脱臭手段として知られている。
【先行技術文献】
【特許文献】
【０００３】
【特許文献１】特開２０１１−２４０２３９号公報
【発明の概要】
【発明が解決しようとする課題】
【０００４】
特許文献１に記載されたオゾン発生管を利用する構成では、地中に埋設される合併浄化槽設備に適用しようとすると、その処理槽の汚水中に没する壁の内側にオゾン発生管を取り付けると共にその電源線を地上に導出させる必要があるので、既設の合併浄化槽設備に適用することは殆ど無理であり、合併浄化槽設備そのものを新規に製造する段階でようやく実用化が出来るようなものである。又、後者のオゾンガスを処理槽内の汚水中に噴出させる構成も、仮にオゾンガス噴出管を既設の合併浄化槽設備における処理槽の保守点検用マンホールから汚水中に垂下させることが出来たとしても、大型で高価なオゾンガス生成機を利用するものであるから、実用的ではない。
【課題を解決するための手段】
【０００５】
本発明は、上記のような従来の問題点を解消することのできる合併浄化槽設備を提案するものであって、請求項１に記載の本発明に係る合併浄化槽設備は、後述する実施形態の参照符号を付して示すと、合併浄化槽設備における接触曝気槽(9)の外にマイナスイオン発生器(26)が設置され、前記接触曝気槽(9)内に空気を送り込む送気管(8)には、接触曝気槽(9)の外に配線挿通部(22)が設けられ、前記マイナスイオン発生器(26)に放電極(28)を接続する放電極用配線(27)は、前記配線挿通部(22)から前記送気管(8)内を経由して接触曝気槽(9)内に導出され、その放電極用配線(27)の先端に取り付けられた放電極(28)が接触曝気槽(9)内の汚水中に配置された構成になっている。
【０００６】
上記本発明を実施する場合、具体的には請求項２に記載のように、前記送気管(8)の接触曝気槽(9)内で且つ汚水表面より上側の位置に第二の配線挿通部(23)を設け、前記放電極用配線(27)は、槽外の前記配線挿通部(22)から前記送気管(8)内を経由して前記第二の配線挿通部(23)より接触曝気槽(9)内に導出することが出来る。
【０００７】
又、合併浄化槽設備における接触曝気槽(9)内の汚水表面より上方にマイナスイオン発生器(26)を設置する場合、請求項３に記載のように、前記接触曝気槽(9)内に空気を送り込む送気管(8)には、接触曝気槽(9)の外に第一の配線挿通部(22)を設けると共に接触曝気槽(9)内で汚水表面より上方に第二の配線挿通部(23)を設け、前記マイナスイオン発生器(26)の電源線(26b)は、前記第一の配線挿通部(22)から送気管(8)内を経由して前記第二の配線挿通部(23)より送気管(8)外に引き出して前記マイナスイオン発生器(26)に接続することが出来る。
【０００８】
更に、請求項４に記載のように、前記放電極用配線(27)には、先端の放電極(28)の近くの位置に重錘(29)を取り付けておくことが出来る。更に、請求項５に記載のように、前記接触曝気槽(9)内の汚水中にアース部材(31)を配置し、このアース部材(31)に接続されるアース線(30)は、槽外の前記配線挿通部(22)から前記送気管(8)を経由して接触曝気槽(9)内に導出し、このアース線(30)の先端に前記アース部材(31)を取り付けることが出来る。
【発明の効果】
【０００９】
ヘアードライヤーや扇風機などの家電商品に組み込まれる小型軽量で非常に安価なマイナスイオン発生器の放電極を既設の合併浄化槽設備における保守点検用マンホールから接触曝気槽内に投入して、当該接触曝気槽内の底面上又はこれより上方の適当深さの位置に放電極を配置した状態で槽外のマイナスイオン発生器に通電し、前記放電極にマイナスの高電圧パルスを印荷することにより、それまで気温や風速、風向などの気象条件によって当該既設の合併浄化槽設備の周辺に漂っていた臭気(悪臭)が顕著に減少乃至は消滅した。理論的には、オゾンガス生成機からのオゾンガスを接触曝気槽内に噴出させた場合や、オゾン発生管を接触曝気槽内に配設した場合と同様に、槽外のブロワーから送出されるエアーによって曝気されている汚水中の酸素がオゾン化し、このオゾンによる脱臭／消臭効果が働いているものと思われるが、当該接触曝気槽内の汚水中で前記放電極の近くにアース端子を配置することにより、脱臭／消臭効果がより高められることも認められた。
【００１０】
請求項１に記載の本発明は、上記の経験（発見）に基づいて成されたものであり、係る本発明によれば、上記のように小型軽量で非常に安価なマイナスイオン発生器を槽外の地上側に設置するものであること、処理槽の天井スラブに配線用の貫通孔を設けることなく、接触曝気槽が備える送気管の槽外領域に配線挿通部を設けるだけで、当該送気管を利用して地上側のマイナスイオン発生器と接触曝気槽内の汚水中の放電極とを接続する放電極用配線を槽外から槽内に通すことが出来ること、そして接触曝気槽の手前の嫌気ろ床槽内の汚水中ではなく、エアーによって曝気されている接触曝気槽内の汚水中に放電極が配置されることによって、効果的な脱臭／消臭効果が期待出来る合併浄化槽設備を極めて簡単容易且つ安価に得ることが出来るに至ったのである。特に現に使用中の既設合併浄化槽を、上記のような効果的な脱臭／消臭効果が期待出来る合併浄化槽設備に極めて簡単容易且つ安価に改修出来るという格別の効果がある。
【００１１】
尚、接触曝気槽が備える送気管の内径や放電極の太さなどの条件があえば、送気管の槽外領域に設けられた配線挿通部から先端に放電極が取り付けられている配線を挿入して当該送気管の汚水中の先端開口から放電極を導出し、当該放電極を所定位置に配置することも可能であるが、請求項２に記載の構成によれば、送気管の汚水中の先端が閉じられている場合でも、槽外領域に設けられた配線挿通部からは放電極を取り付ける前の配線のみを挿入し、この放電極用配線を、接触曝気槽が備える保守点検用のマンホールを利用して槽内の第二の配線挿通部より接触曝気槽内に導出し、この配線の先端に放電極を取り付けた後に汚水槽内に投入して配置することが出来る。換言すれば、送気管の汚水中の先端が閉じられている場合でも、或いは送気管の内径が細くとも、必要なサイズの放電極を採用して効果的な脱臭／消臭効果を得ることが出来る。又、放電極も送気管の位置から離れた適当な位置に容易に配置することが出来る。
【００１２】
又、請求項３に記載の本発明によれば、マイナスイオン発生器は、接触曝気槽が備える保守点検用のマンホールを利用して接触曝気槽内の汚水表面より上方に取り付けることが出来、このマイナスイオン発生器が槽外に設置される場合に必要な雨避け対策が不要になり、しかも当該マイナスイオン発生器の電源線を通すために接触曝気槽の天井スラブに貫通孔を設ける必要がなく、極めて簡単容易且つ安価に実施することが出来る。又、放電極をその状態に関係なく接触曝気槽内の任意の位置に容易に投入することが出来る。
【００１３】
尚、放電極が細いカーボン製線材を束ねたような筆状のものである場合、軽量で空気を含んだ状態であるから汚水中に確実に沈ませることが困難な場合があるが、このような場合には、請求項４に記載の構成を採用することにより、放電極の状態に関係なく接触曝気槽内の任意の位置に確実に沈ませることが出来る。尚、この構成は、特に請求項２や３に記載の構成を採用する場合に利用し易いものである。
【００１４】
又、請求項５に記載の構成によれば、先に説明したようにアースを併用して脱臭／消臭効果を高めることが出来るのであるが、このアースを利用するために接触曝気槽の天井スラブにアース線を通すための貫通孔を設ける必要がなく、極めて簡単容易且つ安価に実施することが出来る。
【図面の簡単な説明】
【００１５】
【図１】図１は本発明の第一実施例を示す縦断側面図である。
【図２】図２は同上実施例の要部を示す拡大側面図である。
【図３】図３は本発明の第二実施例を示す要部の縦断側面図である。
【発明を実施するための形態】
【００１６】
本発明の第一実施例を図１及び図２に基づいて説明すると、１は合併浄化槽設備を構成する浄化槽本体、２は送気用ブロワーである。浄化槽本体１は、その上面が地表レベルとほぼ面一になる状態に地下に埋設された従来周知のものであって、し尿及び生活雑排水の流入路３とろ材層４を備えた第一嫌気ろ床槽５、この第一嫌気ろ床槽５に隣接し且つろ材層６を備えた第二嫌気ろ床槽７、この第二嫌気ろ床槽７に隣接し且つ送気管８を備えた接触曝気槽９、この接触曝気槽９に隣接する沈殿槽１０、及び沈殿槽１０の上部に形成され且つ処理済み水排出用の流出路１１を備えた消毒槽１２から構成されている。
【００１７】
第一嫌気ろ床槽５と第二嫌気ろ床槽７に共通の天井スラブ１３には、これら第一嫌気ろ床槽５と第二嫌気ろ床槽７に対する保守点検用のマンホール１４が設けられ、接触曝気槽９の天井スラブ１５と沈殿槽１０の天井スラブ１６には、これら接触曝気槽９及び沈殿槽１０と消毒槽１２の保守点検用のマンホール１７，１８が設けられている。１９，２０は、第一嫌気ろ床槽５と第二嫌気ろ床槽７との間、及び第二嫌気ろ床槽７と接触曝気槽９との間のオーバーフロー流路であって、上手側の流入口は槽底部近傍に開口している。
【００１８】
送気管８は、接触曝気槽９の天井スラブ１５を上下方向に貫通するもので、この接触曝気槽９内の汚水中に没する領域にはエアー吐出口が多数設けられ、槽外に突出する上端は、地上に設置された送気用ブロワー２の送気口に接続されている。この送気管８には、槽外領域の適当箇所に第一配線挿通部２２が設けられると共に槽内領域で且つ汚水表面より上方の適当箇所に第二配線挿通部２３が設けられている。これら第一及び第二配線挿通部２２，２３は、送気管８の分断箇所にＴ型管継手２４やＹ型管継手２５を介装して構成することが出来、各管継手２４，２５の送気管８に対して分岐する開口を配線挿通口としたものである。
【００１９】
２６は槽外の適当箇所に設置されたマイナスイオン発生器であって、ヘアードライヤーや扇風機などの家電商品に組み込まれる小型軽量の市販品が利用出来るが、実際に使用した商品の一例を挙げると、中華人民共和国  〒239300  安徽省天長市所在の
創普電業国際集団有限会社
（英文社名：TRUMP ELECTRICAL GROUP INTERNATIONAL CO., LTD）
が取り扱うマイナスイオン発生器（型番 TFB-YA118R／TFB-YA170など）が使用出来た。
【００２０】
上記マイナスイオン発生器２６の放電極を接続する放電極用配線（被覆線）２７は、槽外の配線挿通部２２を構成するＴ型管継手２４の上向きに開口する配線挿通口から送気管８内に挿入し、槽内の第二配線挿通部２３を構成するＹ型管継手２５の斜め下向きに開口する配線挿通口より接触曝気槽９内の汚水表面より上方の空間内に引き出す。そして、この放電極用配線２７の先端に放電極２８を取り付けると共に、当該放電極２８より適当距離（例えば２０Cm程度）離れた位置で放電極用配線２７に重錘２９と取り付ける。これら第二配線挿通部２３からの放電極用配線２７の引き出しは保守点検用のマンホール１７から行うことが出来、放電極２８や重錘２９の取付け作業は、前記マンホール１７から放電極用配線２７を槽外に引き出した状態で地上にて行うことが出来る。
【００２１】
尚、槽外の第一配線挿通部２２の配線挿通口や槽内の第二配線挿通部２３の配線挿通口から送気用ブロワー２からの吐出エアーが漏れないように、第一配線挿通部２２を構成するＴ型管継手２４の上向きに開口する配線挿通口や第二配線挿通部２３を構成するＹ型管継手２５の斜め下向きに開口する配線挿通口には、放電極用配線２７の周囲の空隙を塞ぐシール材を備えたネジ込み式キャップ２４ａ，２５ａを装着することが出来る。又、重錘２９としては適当な鋼材が利用出来るが、一例を挙げると、φ20×50Ｌ程度のＳＵＳの丸棒材の一端又は両端にφ６程度の直径方向の貫通孔を穿設したものが利用出来、この重錘２９を放電極用配線２７に沿わせた状態で、端部の貫通孔を利用して放電極用配線２７にインシュロックで固定することが出来る。
【００２２】
この実施例では、前記放電極用配線２７を槽外から槽内に挿通させるときにアース線（被覆線）３０が同時に挿通されている。このアース線３０の接触曝気槽９内の汚水表面より上方の空間内に引き出された先端には、アース部材３１が取り付けられる。このアース部材３１としては適当な良電導部材が利用出来るが、一例を挙げると、φ15×50Ｌ程度の銅棒材の一端にＭ４程度のネジ孔を設け、このネジ孔にビス止めした端子にアース線３０を接続することが出来る。又、このアース線３０の槽外の端末は、この合併浄化槽設備の近くにある既設の電源コンセントが備えるアース端子に接続するか又は、アース端子に利用出来る水道配管などに接続することが出来るが、このような利用出来るものがなければ、図示のように銅棒材３２を接続し、この銅棒材３２を地中に埋めることが出来る。
【００２３】
以上のように放電極２８や重錘２９を取り付けた放電極用配線２７や、アース部材３１が取り付けられたアース線３０の準備が出来れば、これらを接触曝気槽９内の汚水中に投入し、これらを接触曝気槽９内の底面上又はその近傍位置に配置する。そして、マイナスイオン発生器２６の電源用プラグ２６ａや送気用ブロワー２の電源用プラグ２ａをこの合併浄化槽設備の近くにある既設の電源コンセントに接続してそれぞれを稼働させれば良い。而して、浄化槽本体１内での汚水の浄化作用は従来周知のごとく行われるが、マイナスイオン発生器２６からのマイナスの高電圧パルスが印荷されている放電極２８が、送気管８から吐出されるエアーによって曝気作用を受けている接触曝気槽９内の汚水中に存在するので、この放電極２８の周囲の汚水中の酸素がオゾン化され、周知の脱臭／消臭効果が得られる。
【００２４】
上記実施例では、マイナスイオン発生器２６を浄化槽本体１の外に設置したが、図３に示すように、接触曝気槽９内で汚水表面より上方の適当箇所、例えば槽の周囲の垂直壁部やマンホール１７の周囲の天井スラブ１５の下側面などにマイナスイオン発生器２６を、当該マイナスイオン発生器２６が備える取付け板をアンカーボルトで取り付けるなどの適当な方法で取り付けることが出来る。この実施例によれば、電源用プラグ２６ａを備える電源線（被覆線）２６ｂをアース線３０と共に、送気管８が備える槽外の第一配線挿通部２２から送気管８内に挿入し、槽内の第二配線挿通部２３より接触曝気槽９内の汚水表面より上方の空間内に引き出し、アース線３０は、先に説明したようにアース部材３１を取り付けた状態で接触曝気槽９内の汚水中に投入し、電源線２６ｂは、前記のように取り付けられているマイナスイオン発生器２６の電源端子に接続することになる。そしてこのマイナスイオン発生器２６から延びる、先端に放電極２８を備える放電極用配線２７は、そのまま接触曝気槽９内の汚水中に投入すれば良い。
【産業上の利用可能性】
【００２５】
本発明は、現に使用中の既設の合併浄化槽設備であっても、周囲に悪臭が漂うことの少ない又は皆無な状態に改修することが容易且つ安価な手段として活用出来る。
【符号の説明】
【００２６】
１    浄化槽本体
２    送気用ブロワー
３    流入路
４，６    ろ材層
５    第一嫌気ろ床槽
７    第二嫌気ろ床槽
８    送気管
９    接触曝気槽
１０    沈殿槽
１１    流出路
１２    消毒槽
１３，１５，１６    天井スラブ
１４，１７，１８    マンホール
１９，２０    オーバーフロー流路
２２    第一配線挿通部
２３    第二配線挿通部
２４    Ｔ型管継手
２５    Ｙ型管継手
２６    マイナスイオン発生器
２６ｂ    マイナスイオン発生器の電源線
２７    放電極用配線
２８    放電極
２９    重錘
３０    アース線
３１    汚水中のアース部材
３２    槽外のアース用銅棒材
【図１】
2013173111.tif 000003
【図２】
2013173111.tif 000004
【図３】
2013173111.tif 000005